(57)【要約】【課題】  ランプの点灯、再点灯を短時間にて応答することができるリアプロジェクションテレビ用のランプ点灯装置を提供する。【解決手段】  リアプロジェクションテレビ用のランプ点灯装置は、複数のランプ１０８ａ、１０８ｂと、複数のランプの少なくとも１つのランプの点灯または消灯を行うランプ駆動回路１１０と、複数のランプのいずれかのランプから出射される出射光を遮蔽可能なシャッター１１２と、ランプ駆動回路１１０およびシャッター１１２を制御するランプ制御回路１０６とを有する。ランプ制御回路１０６は、ランプ１０８ａの消灯指示が予め設定された６０秒以内である場合に、ランプの点灯を維持しつつ、シャッター１１２によりランプ１０８ａの出射光を遮蔽させる。【選択図】    図４
2006058383.tif 000002
【特許請求の範囲】
【請求項１】
複数のランプと、
複数のランプの少なくとも１つのランプの点灯または消灯を行うランプ駆動手段と、
複数のランプのいずれかのランプから出射される出射光を遮蔽可能な遮蔽手段と、
ランプ駆動手段および遮蔽手段を制御するランプ制御手段とを有し、
ランプ制御手段は、点灯しているランプについて消灯指示を受けたとき、遮蔽手段により点灯しているランプの出射光を遮蔽させる、
ランプ点灯装置。
【請求項２】
ランプ制御手段は、点灯しているランプについて消灯指示を受けたとき、消灯指示が予め設定された第１の期間内であるか否かを判定し、第１の期間内である場合、遮蔽手段により点灯しているランプの出射光を遮蔽させる、請求項１に記載のランプ点灯装置。
【請求項３】
ランプ制御手段は、消灯指示を受けているランプが定格電流に到達したとき、ランプ駆動手段により当該ランプを消灯させる、請求項１または２に記載のランプ点灯装置。
【請求項４】
ランプ制御手段は、ランプの消灯前に、再点灯指示を受けたとき、遮蔽手段による出射光の遮蔽を解除させる、請求項３に記載のランプ点灯装置。
【請求項５】
ランプ点灯装置はさらに、ランプを冷却するための冷却手段を有し、ランプ制御手段は、ランプが定格電流に到達するまでの間、冷却手段による冷却を停止させる、請求項３に記載のランプ点灯装置。
【請求項６】
ランプ制御手段は、消灯指示が第１の期間経過後である場合、ランプ駆動手段により放電持続可能な駆動電力によりランプを点灯させるとともに、点灯しているランプの出射光を遮蔽させる、請求項１に記載のランプ点灯装置。
【請求項７】
ランプ制御手段は、放電持続可能な駆動電力によりランプを第２の期間だけ点灯させ、その後、当該ランプを消灯させる、請求項６に記載のランプ点灯装置。
【請求項８】
ランプ制御手段は、第２の期間中に、ランプの再点灯指示を受けたとき、遮蔽手段による出射光の遮蔽を解除させる、請求項６に記載のランプ点灯装置。
【請求項９】
ランプ制御手段は、ランプの消灯後にランプ点灯指示を受けたとき、先に点灯させていたランプ以外のランプを点灯させる、請求項１に記載のランプ点灯装置。
【請求項１０】
ランプ点灯装置はさらに、複数の光伝送路を含み、当該複数の光伝送路の位置を可変可能な光伝送路手段を有し、光伝送路手段は、複数のランプの中の点灯されているランプからの光を伝送するように位置決めされる、請求項１に記載のランプ点灯装置。
【請求項１１】
ランプ点灯装置はさらに、点灯されているランプからの光を、少なくとも赤、緑、青の波長に分離する分離手段を有する、請求項１に記載のランプ点灯装置。
【請求項１２】
請求項１ないし１１いずれか１つに記載のランプ点灯装置と、
ランプ点灯装置からの光を変調する変調手段と、
変調手段により変調された光を投射する投射手段と
を有する投射型画像表示装置。
【請求項１３】
請求項１ないし１１いずれか１つに記載のランプ点灯装置と、
テレビ受像信号に基づきランプ点灯装置からの光を変調する変調手段と、
変調手段により変調された光を投射する投射手段と、
を有するリアプロジェクションテレビ。
【請求項１４】
複数のランプを有する投射型画像表示装置のランプ点灯方法であって、
複数のランプのいずれかか１つを点灯させるステップと、
点灯しているランプについて消灯指示があったとき、当該消灯指示がランプ点灯開始時からの第１の期間内であるか否かを判定するステップと、
消灯指示が第１の期間内であるとき、ランプ点灯を維持させつつ、ランプの出射光を遮蔽するステップと、
を有するランプ点灯方法。
【請求項１５】
ランプ点灯は、当該ランプが定格電流に至るまで継続され、その後にランプが消灯される、請求項１４に記載のランプ点灯方法。
【請求項１６】
複数のランプを有する投射型画像表示装置のランプ点灯方法であって、
複数のランプのいずれかか１つを点灯させるステップと、
点灯しているランプについて消灯指示があったとき、当該消灯指示がランプ点灯開始時からの第１の期間内であるか否かを判定するステップと、
消灯指示が第１の期間経過後であるとき、放電持続可能な駆動電力でランプ点灯を維持させつつ、ランプの出射光を遮蔽するステップと、
を有するランプ点灯方法。
【請求項１７】
放電持続可能な駆動電力でランプ点灯を維持させている間に、ランプ再点灯指示があったとき、ランプの出射光の遮蔽を解除するステップを有する、請求項１６に記載のランプ点灯方法。
【発明の詳細な説明】
【技術分野】
【０００１】
本発明は、投影型の高品位テレビジョン（ＨＤＴＶ）システムやビデオプロジェクタやリアプロジェクションテレビに関し、特に、再点灯動作を短時間で行うことを可能とするランプ点灯技術に関する。
【背景技術】
【０００２】
投影型のプロジェクタは、液晶素子やＤＭＤ（Digital Micro-mirror Device）等の空間変調デバイスを利用して光源からの光を変調させ、スクリーン上へカラー画像の表示を行うものである。プロジェクタの利用形態として、スクリーンの前面から画像を投射する前面投射型と、スクリーンの背面から画像を投射する背面投射型があるが、近年、背面投射型を利用した薄型テレビが実用化されている。
【０００３】
特許文献１は、リアプロジェクションテレビに関し、スクリーンの背面に入光する高い打ち上げ角度の画像をスクリーン面の光軸に平行に補正することを可能にしている。また特許文献２は、外観上の余分なスペースを無くし、大画面でありながら省スペースのリアプロジェクションテレビを開示している。
【０００４】
【特許文献１】特開２００３−５２７５号
【特許文献２】特開２００２−２０７１９０号
【発明の開示】
【発明が解決しようとする課題】
【０００５】
通常、高圧水銀などの放電ランプを光源に用いた場合、ランプを一度消灯させると、ランプが一定温度（例えば、２５０度）以下にならないと、ランプの再点灯をすることができない。例えば、テレビ番組が終了してリアプロジェクションテレビのメインスイッチをオフにした後に、急に次の番組を見たくなって、メインスイッチをオンにしても、ランプが２５０度以下に冷却されるまでの一定の期間、投影動作をすることができないという課題がある。
【０００６】
また、一度ランプを点灯させた場合、ランプ寿命の保護のために、最低でも６０秒間または定格電流になるまで、ランプを点灯し続ける必要がある。例えば、プロジェクションテレビのメインスイッチをオンした後、気が変わって６０秒以内にメインスイッチをオフにしても、一定期間、投影動作が継続されてしまう。
【０００７】
背面投射型プロジェクタは、テレビ受像機として利用されることが多く、通常の前面プロジェクタと比較して、メインスイッチのオン・オフの操作が頻繁に行われる。このため、上記のようなランプの点灯、再点灯が大きな問題となる。こうした問題を解決するためには、ランプの点灯、再点灯を瞬時に行い得るランプを利用すればよいが、未だそのようなランプは開発されていない。
【０００８】
本発明の目的は、ランプの点灯、再点灯を短時間にて応答することができるランプ点灯装置を提供することを目的とする。
さらに本発明の目的は、そのようなランプ点灯装置を用いた投射型画像表示装置およびリアプロジェクションテレビを提供することを目的とする。
【課題を解決するための手段】
【０００９】
本発明に係るランプ点灯装置は、複数のランプと、複数のランプの少なくとも１つのランプの点灯または消灯を行うランプ駆動手段と、複数のランプのいずれかのランプから出射される出射光を遮蔽可能な遮蔽手段と、ランプ駆動手段および遮蔽手段を制御するランプ制御手段とを有し、ランプ制御手段は、点灯しているランプについて消灯指示を受けたとき、遮蔽手段により点灯しているランプの出射光を遮蔽させるものである。
【００１０】
好ましくは、ランプ制御手段は、点灯しているランプについて消灯指示を受けたとき、消灯指示が予め設定された第１の期間内であるか否かを判定し、第１の期間内である場合、遮蔽手段により点灯しているランプの出射光を遮蔽させる。また、ランプ制御手段は、消灯指示を受けているランプが定格電流に到達したとき、ランプ駆動手段により当該ランプを消灯させる。さらにランプ制御手段は、ランプの消灯前に、再点灯指示を受けたとき、遮蔽手段による出射光の遮蔽を解除させる。第１の期間は、例えば、点灯指示から約６０秒であり、６０秒を越える前にランプを消灯させると、ランプ寿命が短命化してしまうので、これを防止する。
【００１１】
好ましくはランプ制御手段は、消灯指示が第１の期間経過後である場合、ランプ駆動手段により放電持続可能な駆動電力によりランプを点灯させるとともに、点灯しているランプの出射光を遮蔽させる。また、ランプ制御手段は、第２の期間の間に、ランプの再点灯指示を受けたとき、遮蔽手段による遮蔽を解除するようにする。さらに好ましくは、ランプ制御手段は、ランプ消灯後にランプ点灯指示を受けたとき、先に点灯させたランプ以外のランプを点灯させるようにする。
【００１２】
本発明に係る投射型画像表示装置は、上記特徴を備えたランプ点灯装置と、ランプ点灯装置からの光を変調する変調手段と、変調手段により変調された光を投射する投射手段とを有する。また本発明に係るリアプロジェクションテレビは、上記特徴を備えたランプ点灯装置と、テレビ受像信号に基づきランプ点灯装置からの光を変調する変調手段と、変調手段により変調された光を投射する投射手段とを有する。
【００１３】
本発明に係る複数のランプを有する投射型画像表示装置のランプ点灯方法は、複数のランプのいずれかか１つを点灯させるステップと、点灯しているランプについて消灯指示があったとき、当該消灯指示がランプ点灯開始時からの第１の期間内であるか否かを判定するステップと、消灯指示が第１の期間内であるとき、ランプ点灯を維持させつつランプの出射光を遮蔽するステップとを有する。
【発明の効果】
【００１４】
本発明に係るランプ点灯装置によれば、ランプの消灯指示が第１の期間内であれば、ランプの点灯を維持しつつ、ランプが定格電流に到達するまでの間はランプからの出射光を遮蔽手段により遮蔽するようにしたので、消灯指示に瞬時に応答することができ、かつ、再点灯指示にも瞬時に応答することができる。また、ランプ寿命の短命化も防止することがでる。一方、ランプの消灯指示が第１の期間後であれば、第２の期間だけ放電持続可能な電流によりランプの点灯を維持させつつ、その間はランプの出射光を遮蔽手段により遮蔽するようにしたので、仮に、その間に再点灯指示があっても、遮蔽手段による遮蔽を解除するだけで、瞬時に再点灯指示に応答することができる。さらに、ランプ消灯後にランプ点灯指示があった場合には、先行して点灯していたランプと異なるランプを点灯するようにしたので、ランプ点灯指示に瞬時に応答することができ、かつ、複数のランプの全体の寿命を均一化することができる。
【発明を実施するための最良の形態】
【００１５】
本発明に係るランプ点灯装置は、ＤＭＤを用いたリアプロジェクションテレビにおいて実施される。以下、図面を参照して詳細に説明する。
【実施例】
【００１６】
図１は、リアプロジェクションテレビの概略構成を示す断面図である。リアプロジェクションテレビ１は、薄型ハウジング２内の底部にプロジェクタ３を収容する。プロジェクタ３から投射された画像は、非球面反射鏡４および平面反射鏡５によって拡大され、スクリーン６の背面から表示される。
【００１７】
図２は、プロジェクタの構成を示すブロック図である。プロジェクタ３は、テレビ信号をアンテナ１０を介して受け取るテレビチューナ回路１２と、テレビチューナ回路１２によって選択されたチャンネルのテレビ受像信号を受け取り、これをＤＭＤのＲ（赤）、Ｇ（緑）、Ｂ（青）の画像フォーマットプレーンに変換する画像フォーマット変換回路１４と、画像フォーマットデータに基づきＤＭＤを駆動するＤＭＤ駆動回路１６と、ＤＭＤ１８とを備えている。
【００１８】
ここで、ＤＭＤ１８は、２次元的に配列した各ピクセルが微小なミラーから構成され、各ピクセルの直下に配置されたメモリー素子による静電界作用によって微小ミラーの傾きを制御し、反射光の反射角度を変化させることで、オン／オフ状態を作る反射形表示素子である。ピクセルがオフ状態では、ピクセルの微小ミラーによる反射光が投射レンズに入射せず、ピクセルがオン状態では、ピクセルの微小ミラーによる反射光が投射レンズに入射する。なお、各ピクセルの微小ミラーのオン時の傾き角は、ＤＭＤの光線の入射面に対して１０から１２度程度と決められている。
【００１９】
プロジェクタ３はさらに、リアプロジェクションテレビからの入力、例えば、メインスイッチのオン・オフ、チャンネルの選局、画面処理などを受け取り、これを中央処理装置３０へ与える入力インターフェース２０と、演算処理結果等を一時的に記憶するデータメモリ２２と、ランプの点灯・消灯動作を制御するプログラム等を記憶するプログラムメモリ２４と、複数のランプについての点灯制御を行うランプ点灯装置２６と、ランプ点灯装置２６によって照明されたＤＭＤ１８の反射光を投射する投射レンズ２８と、プログラム等に従い各部を制御する中央処理装置３０とを有している。
【００２０】
図３は、ランプ点灯装置の構成を示すブロック図である。ランプ点灯装置２６は、図示しないクロック発生器からのクロック信号を受けてクロックパルスをカウントするカウンタ１００、ライトトンネルホルダおよびシャッターの位置を検出する位置センサ１０２、ランプの温度を検知する温度センサ１０４、各部を制御するランプ制御回路１０６、複数のランプ１０８、複数のランプの１０８の点灯・消灯を行うランプ駆動回路１１０、ランプからの出射光を遮蔽可能なシャッター１１２、複数のライトトンネルを保持するライトトンネルホルダ１１４、シャッター１１２およびライトトンネルホルダ１１４を駆動するモータ駆動回路１１６、複数のランプ１０８およびライトトンネルホルダ１１４を冷却する冷却ファン１１８、および冷却ファン１１８を駆動する冷却ファン駆動回路１２０を備えている。
【００２１】
ランプ制御回路１０６は、中央処理装置３０からの制御信号Ｓに応答してランプ駆動回路１１０、モータ駆動回路１１６および冷却ファン駆動回路１２０の動作を制御する。また、ランプ制御回路１０６は、カウンタ１００、位置センサ１０２、温度センサ１０４からの出力信号を受け取り、最適な制御を行う。
【００２２】
図４は、プロジェクタの詳細な光学系を示す図である。ランプ制御回路１０６は、制御信号やその他のデータの送受を行うための信号線Ｓ１、Ｓ２、Ｓ３、Ｓ４によりランプ駆動回路１１０と接続されている。ランプ駆動回路１１０は、ランプに所定の電力を供給するためのランプ電源１３０、ランプの起動およびＡＣ駆動を行うための点灯回路１３２ａ、１３２ｂ、スイッチＳＷ１、ＳＷ２を有している。ランプ電源１３０は、制御線Ｓ１に応答して、ランプ起動時、ランプ安定動作時などに所定のランプ電力を供給する。点灯回路１３２ａ、１３２ｂは、信号線Ｓ４に応答し、ランプ起動時に数千ボルトの高電圧をランプに印加するイグナイタ回路、およびランプ点灯期間中にＡＣ駆動電圧を印加する回路とを有する。
【００２３】
スイッチＳＷ１は、ランプ電源１３０と点灯回路１３２ａとの間に接続され、ランプ制御回路１０６の制御線Ｓ２に応答して開閉を行う。ランプ１０８ａが点灯されるとき、スイッチＳＷ１は閉じ、ランプ電源１３０からの電力がランプ１０８ａに供給され、ランプ１０８ａが消灯されるとき、スイッチＳＷ１は開き、ランプ電源１３０からの電力がランプ１０８ａに供給されない。スイッチＳＷ２は、ランプ電源１３０と点灯回路１３２ｂとの間に接続され、ランプ制御回路１０６の制御線Ｓ３に応答して開閉を行う。ランプ１０８ｂが点灯されるとき、スイッチＳＷ２は閉じ、ランプ電源１３０からの電力がランプ１０８ｂに供給され、ランプ１０８ｂが消灯されるとき、スイッチＳＷ２は開き、ランプ電源１３０からの電力がランプ１０８ｂに供給されない。
【００２４】
本実施例では、光源に２つのランプ１０８ａ、１０８ｂを用いる。ランプは、例えば、高圧水銀ランプ、ハロゲンランプ等の放電ランプが用いられる。２つのランプ１０８ａ、１０８と隣接する位置に、ライトトンネルホルダ１１４が配置される。ライトトンネルホルダ１１４は、屈曲した形状の光伝送路を有するライトトンネル１４０ａ、１４０ｂを有している。ライトトンネルホルダ１１４は、ランプの光軸と垂直方向Ｈに移動可能であり、この移動は、ステッピングモータによって行われる。ライトトンネルホルダ１１４の位置は、図示しない位置センサ１０２によって検出され、この検出信号がランプ制御回路１０６へ供給される。ランプ制御回路１０６は、位置センサ１０２の検出信号に基づきモータ駆動回路１１６を介してライトトンネル１１４の位置を制御する。ランプ１０８ａが点灯されるとき、ランプ１０８ａからの光がライトトンネル１４０ａに入射されるようにライトトンネルホルダ１１４が位置決めされ、ランプ１０８ｂが点灯されるとき、ランプ１０８ｂからの光がライトトンネル１４０ｂに入射されるようにライトトンネルホルダ１１４がＨ方向に移動される。
【００２５】
２つのライトトンネル１４０ａ、１４０ｂは、ランプからの光を入射し、これをほぼ均一な強度の光線束として出射する。ライトトンネルの断面形状は、投射される画像のアスペクト比などに応じて決定される。なお、ライトトンネルの代わりに、光インテグレータを用いてもよい。
【００２６】
ライトトンネルホルダ１１４と隣接する位置にカラーホイール装置１５０が配置される。カラーホイール装置１５０は、モータと、その回転軸に固定された円盤状のカラーホイールとを含む。カラーホイールの円周方向には、Ｒ（赤）、Ｇ（緑）、Ｂ（青）のカラーフィルターが配列されている。ライトトンネル１４０ａまたは１４０ｂから出射された光線束は、一定速度で回転するカラーホイールに垂直に入射され、Ｒ、Ｇ、Ｂの光に時分割的に分離される。カラーホイールは、Ｗ（白）のフィルター、すなわちランプの光をそのまま透過する部分を含んでいても良い。
【００２７】
カラーホイール装置１５０と隣接する位置にシャッター１１２が配置される。シャッター１１２は、ライトトンネル１４０ａまたは１４０ｂから出射される光を遮蔽し、または透過させる。
【００２８】
図５（ａ）はシャッターの平面図、図５（ｂ）はシャッターの側面図である。シャッター１１２は、円盤状の回転板１６２と、回転板１６２を回転させるモータ１６６とを有する。回転板１６２には、円形状の開口１６４が形成されている。ライトトンネル１４０ａまたは１４０ｂからの出射光を透過させる場合には、ライトトンネル１４０ａまたは１４０ｂに開口１６４を位置決めし、開口１６４を透過させる。反対に、ライトトンネル１４０ａまたは１４０ｂからの出射光を遮蔽させる場合には、開口１６４以外の部分を位置決めし、そこで反射させる。開口１６４の位置は、位置センサ１０２によって検出され、ランプ制御回路１０６は、この検出信号に基づきモータ駆動回路１１６を介してモータ１６６を制御する。
【００２９】
好ましくは、回転板１６２の表面には、反射光を吸収するような黒色顔料または反射防止膜等をコーティングをするようにしてもよい。なお、回転板１６２に１つの開口１６４を形成したが、複数の開口を形成してもよい。また、開口１６４の形状は、円形状に限らず、矩形状であってもよく、要は、ライトトンネルからの光を透過できる大きさであればよい。
【００３０】
さらにシャッター１１２と隣接する位置に反射ミラー１７０が配置される。反射ミラー１７０は、シャッター１１２を透過した光を反射させ、ＤＭＤ１８のミラー領域を照明する。カラーホイール装置１５０を通過したＲ、Ｇ、Ｂの光は、順次ＤＭＤ１８を照明し、ＤＭＤ１８で反射されたオン光、すなわち変調された光は、投射レンズ２８を介してプロジェクタ３から出射される。
【００３１】
冷却ファン１１８は、ランプ１０８ａ、１０８ｂ、ライトトンネルホルダ１１４を冷却するように配置される。ランプ制御回路１０６は、冷却ファン駆動回路１２０を介して冷却ファン１１８を制御するが、好ましくは、温度センサ１０４によって検出されたランプ温度に基づき冷却ファン１１８を制御するようにしてもよい。
【００３２】
次に、本実施例のリアプロジェクションテレビにおけるランプの点灯または消灯動作について説明する。
【００３３】
ユーザによりリアプロジェクションテレビの電源がオンにされると、その操作は、入力インターフェース２０を介して中央処理装置３０へ出力される。中央処理装置３０は、ランプ点灯装置２６に対してランプの点灯指示を与える。ランプ制御回路１０６は、ランプ点灯指示を制御信号Ｓを介して受け取り、ランプ駆動回路１１０を介してランプの点灯を行う。初期設定として、ランプ制御回路１０６は、制御線Ｓ２によりスイッチＳＷ１を閉じ、制御線Ｓ３によりスイッチＳＷ２を開き、ランプ１０８ａを点灯させる。また、ランプ１０８ａからの光が入射されるようにライトトンネルホルダ１１４を位置決めし、かつ、ライトトンネル１４０ａからの光が開口１６４を透過するようにシャッター１１２を位置決めする。
【００３４】
一方、ユーザからの選局指示が中央処理装置３０に与えられ、これに応じてＴＶチューナ回路１２が選局指示に対応するチャンネルのテレビ信号を受信する。受信された画像信号は、画像フォーマット変換回路１４においてＲ、Ｇ、Ｂのディジタル画像フォーマットに変換される。ＤＭＤ駆動回路１６は、画像フォーマットデータに基づきＤＭＤ１８を駆動する。このときＤＭＤ１８は、カラーホイール装置１５０からのＲ、Ｇ、Ｂの入射光と同期して動作される。
【００３５】
ここで、電源がオンされた後、１分以内に電源オフの操作が行われたとき、ランプ制御回路１０６は、ランプ寿命保護のため、ランプが定格電流に至るまでランプの点灯を継続させる。この動作シーケンスを図６（ａ）に示す。時刻Ｔ０で電源がオンされたとすると、ランプ制御回路１０６は、ランプ駆動回路１１０を介してランプ１０８ａを点灯させる。同時に、カウンタ１００をリセットし、カウンタ１００にクロック信号のクロック数をカウントさせる。
【００３６】
ランプ制御回路１０６は、カウンタ１００から出力される計数値を参照し、時刻Ｔ０から６０秒以内に電源オフの入力があるか否かを判定する。電源オフの入力が時刻Ｔ１に発生した場合、その入力が時刻Ｔ０から６０秒以内であれば、ランプ制御回路１０６は、ランプ１０８ａを消灯させずに、点灯を継続させる。時刻Ｔ０から６０秒を越えている場合には、図７の動作シーケンスに従い動作を行う。
【００３７】
６０秒以内に電源オフの入力があった場合には、ランプ制御回路１０６は、モータ駆動回路１１６を介してシャッター１１２を移動させ、ランプ１０８ａの出射光が遮蔽されるようにする。これにより、ランプ１０８ａは点灯し続けるが、光路の一部がシャッター１１２により遮蔽されるので、スクリーン上には投射画像が表示されない。なお、図６のシャッターの「開」は、出射光を透過する意であり、シャッター「閉」は、出射光を遮蔽する意である。
【００３８】
ランプ制御回路１０６は、ランプ駆動回路１１０のランプ電流を監視し、ランプ電流が定格電流に至るまでの間、ランプ１０８ａを点灯し続ける。この期間は、約６０〜９０秒間である（図６のランプ１０８ａの破線がランプ電流を示す）。
【００３９】
ランプ制御回路１０６は、定格電流を検知したとき、ランプ１０８ａを消灯させる（図６の時刻Ｔ２）。また、ランプ制御回路１０６は、時刻Ｔ２において、シャッター１１２を開に移動させ、光路の遮蔽を解除し、光が透過できる状態にしておく。
【００４０】
好ましくは、ランプ制御回路１０６は、時刻Ｔ０から６０秒の間、冷却ファン１１８の動作を停止させる。あるいは、冷却ファン１１８の回転数を遅くしてもよい。これにより、ランプ１０８ａの内圧が早く立ち上がり、定格電流に到達するまでの時間を短縮することができる。
【００４１】
上記動作シーケンスにおいて、時刻Ｔ１と時刻Ｔ２の間の時刻Ｔ３でユーザが再び電源オンを入力した場合には、図６（ｂ）に示すように、シャッター１１２を閉から開に移動させ、出射光の遮蔽を解除し、ランプ１０８ａからの光がＤＭＤ１８を照明させるようにする。これにより、瞬時にユーザの入力指示に応答することができる。
【００４２】
一方、ランプ１０８ａが点灯し、１分以上経過後に電源がオフにされた場合の動作を図７を参照して説明する。ランプ制御回路１０６は、電源オンから１分以上経過後に電源オフの入力があったとき、点灯しているランプ１０８ａを持続放電が可能な最低駆動電力Ｐｓにて動作させる。最低駆動電力Ｐｓで駆動する期間Ｔｓは、好ましくは、少なくとも１分以上である。
【００４３】
さらにランプ制御回路１０６は、モータ駆動回路１１６を介してシャッター１６０を閉状態にし、ランプ１０８ａからの光を遮蔽し、かつ冷却ファン駆動回路１２０を介して冷却ファン１１８の回転を弱める。
【００４４】
ランプ１０８ａを最低駆動電力Ｐｓで駆動している期間Ｔｓの間に、電源オンの入力があると（時刻Ｔ３）、ランプ制御回路１０６は、図７（ｂ）に示すように、ランプ１０８ａを定格電流にするとともに、シャッター１１２を開状態にする。これにより、スクリーン上には、瞬時に明るい投射画像を立ち上げることができる。
【００４５】
次に、ランプの消灯後に電源オンされる場合には、図８に示す動作シーケンスに従い、ランプの点灯制御が行われる。例えば、図７の動作シーケンスにおいて、駆動期間Ｔｓ後にランプ１０８ａが消灯され、その後に電源オンの入力があった場合（時刻Ｔ３）、中央処理装置３０はランプ制御回路１０６を制御し、ランプ１０８ｂの点灯を命じる。データメモリ２２に、先行して点灯させたランプの識別情報を記憶させておき、これを参照してランプ１０８ｂの点灯指示を命じるようにする。
【００４６】
一度点灯したランプを再点灯させる場合には、ランプ温度が２５０度以下になっている必要があり、仮に、ランプ１０８ａの温度が２５０度よりも高いと、瞬時にランプ再点灯することができない。さらに、ランプ寿命を考慮すると、２つのランプの使用頻度を偏らせないことが望ましい。こうした理由により、ランプ制御回路１０６は、制御線Ｓ２によりスイッチＳＷ１を開き、制御線Ｓ３によりスイッチＳＷ２を閉じる。さらに、ランプ制御回路１０６は、モータ駆動回路１１６を介してライトトンネルホルダ１１４をＨ方向に移動させ、ランプ１０８ｂからの出射光がライトトンネル１４０ｂに入射されるようにする。
【００４７】
こうして、図８の時刻Ｔ３において、ランプ１０８ｂの点灯が開始される。ランプ１０８ｂの点灯後の電源オフのシーケンスは、前述した図６および図７と同様の動作シーケンスが行われる。
【００４８】
ランプ制御回路１０６は、前述のようにランプ１０８ａからランプ１０８ｂへ切り替える場合、温度センサ１０４によりランプ１０８ｂの温度を確認するようにしてもよい。仮に、ランプ１０８ｂの温度が２５０度以上であれば、その温度が低下するまで、ランプ１０８ｂの点灯を待つ。
【００４９】
さらに、ランプ１０８ａまたは１０８ｂのいずれかが破損し、点灯させることができない場合、点灯可能なランプについて図６および図７と同様の動作シーケンスが行われる。また、図８に示す動作シーケンスを行うことはできないので、点灯可能なランプの温度が２５０度以下になるまで、ランプの再点灯を待つ。
【００５０】
次に第２の実施例を図９に示す。上記実施例では、２つのライトトンネルを保持するライトトンネルホルダを用いたが、第２の実施例では、その代わりに、単一のライトトンネル３００と、光路切換ミラー３１０とを用いる。ランプ１０８ａを点灯させる場合には、光路切換ミラー３１０を光路から退避させ、ランプ１０８ａの出射光が直接ライトトンネル３００に入射される。一方、ランプ１０８ｂを点灯させる場合には、光路切換ミラー３１０を光路内に移動させ、ランプ１０８ｂの出射光が光路切換ミラー３１０によって反射され、ライトトンネル３１０に入射される。
【００５１】
あるいは、光路切換ミラー３１０は、回転により反射方向を可変させるものであってもよい。この場合、ランプ１０８ａを点灯させる場合には、ランプ１０８ａの光軸とほぼ平行になるように、光路切換ミラー３１０を回転させる。
【００５２】
上記実施例では、シャッター１６０をカラーホイール装置１５０と隣接する位置に設けたが、シャッター１６０は、ランプから投射レンズ２８までの光路上のいずれかに配置することができる。例えば、シャッター１６０は、ライトトンネルとカラーホイール装置１５０との間に配置してもよいし、ＤＭＤ１８と投射レンズ２８との間に配置しても良い。
【００５３】
さらに上記実施例では、プロジェクタ３がテレビチューナ回路１２を含む例を示したが、必ずしもテレビチューナ回路１２を内蔵する必要はない。他のテレビ受信機で受信されたテレビ信号を画像フォーマット変換回路１４へ入力するような構成であってもよい。
【００５４】
以上、本発明の好ましい実施の形態について詳述したが、本発明は係る特定の実施形態に限定されるものではなく、特許請求の範囲に記載された本発明の要旨の範囲内において、種々の変形、変更が可能である。
【００５５】
上記実施例では、光変調素子としてＤＭＤを用いた例を示したが、これ以外の光変調素子、例えば液晶素子などを利用したプロジェクタをリアプロジェクションテレビに用いることも可能である。
【産業上の利用可能性】
【００５６】
本発明に係るランプ点灯装置は、プロジェクタや、プロジェクタを利用した投射型画像表示装置に利用することができる。さらに、プロジェクタは、パーソナルコンピュータやＤＶＤ等の再生装置からの画像データを投射表示する表示装置にも利用することができる。
【図面の簡単な説明】
【００５７】
【図１】本発明の実施例に係るリアプロジェクションテレビの概略構成を示す断面図である。
【図２】プロジェクタの構成を示すブロック図である。
【図３】ランプ点灯装置の構成を示すブロック図である。
【図４】プロジェクタの光学系を示す図である。
【図５】図５(ａ)はシャッターの平面図、図５（ｂ）はシャッターの側面図である。
【図６】図６(ａ)は電源オンから６０秒以内に電源オフの入力があったときのランプの動作シーケンスを示す図、図６（ｂ）は電源オフから６０秒以内に電源オフの入力があり、かつその後に再度電源オンの入力があったときのランプの動作シーケンスを示す図である。
【図７】図７(ａ)は電源オンから６０秒経過後に電源オフの入力があったときのランプの動作シーケンスを示す図、図７（ｂ）は電源オフから６０秒経過後に電源オフの入力があり、かつその後に再度電源オンの入力があったときのランプの動作シーケンスを示す図である。
【図８】ランプ消灯後に電源オンの入力があったときの動作シーケンスを示す図である。
【図９】本発明の第２の実施例による光路切換ミラーを説明する図である。
【符号の説明】
【００５８】
１：リアプロジェクションテレビ      ２：ハウジング
３：プロジェクタ                    ４：非球面反射鏡
５：反射鏡                          ６スクリーン
１８：ＤＭＤ                        ２６：ランプ点灯装置
３０：中央処理装置                  １００：カウンタ
１０６：ランプ制御回路              １１０:ランプ制御回路
１０８ａ、１０８ｂ：ランプ          １１２：シャッター
１１４：ライトトンネルホルダ        １１６:モータ駆動回路
１３２ａ、１３２ｂ：点灯回路        １４０ａ、１４０ｂ：ライトトンネル
１５０：カラーホイール装置          １６４：開口
【図１】
2006058383.tif 000003
【図２】
2006058383.tif 000004
【図３】
2006058383.tif 000005
【図４】
2006058383.tif 000006
【図５】
2006058383.tif 000007
【図６】
2006058383.tif 000008
【図７】
2006058383.tif 000009
【図８】
2006058383.tif 000010
【図９】
2006058383.tif 000011